(57)【要約】【課題】寝たきりの老人や病人等の要介護者の日常の排泄物を十分な洗浄能力で清潔に処理すると共に、その処理作業を自動的に行うことができる構成とすることによって介護者の労働を削減するようにした排泄物処理用介護カプセルを提供する。【解決手段】本体２に対してカバー３を開閉自在にすると共に、本体２とカバー３との境界の対向位置に、寝た状態の要介護者の腰部又は脚部を挿通する開口部４を備え、本体２の内底部に設けられたセンサ５で排泄物の存在を感知することにより、前記本体の内周側が部分的に膨張及び収縮を繰り返す状態で要介護者の尻部を支持する座部を有してなり、センサ５による排泄物の感知後に介護カプセル１内に洗浄水を放出する洗浄水放出装置と、座部６の底部に設けられた排水口７によって介護カプセル１内の排泄物と水分とを吸引する吸引装置と、介護カプセル１内の水分を乾燥除去する乾燥装置とを備えたものである。【選択図】図１
2007330760.tif 000002
【特許請求の範囲】
【請求項１】
上下半割り形状の下部を本体とし、上部をカバーとするカプセル型の構造を有し、前記本体の下側をベッドに設けられた凹所に収納した状態で使用する排泄物処理用介護カプセルであって、該介護カプセルは前記本体に対して前記カバーを開閉自在にすると共に、前記本体と前記カバーとの境界の対向位置に、寝た状態の要介護者の腰部又は脚部を挿通する開口部を備え、前記本体の内底部に設けられたセンサで排泄物の存在を感知することにより、前記本体の内周側が部分的に膨張及び収縮を繰り返す状態で要介護者の尻部を支持する座部を有してなり、前記センサによる排泄物の感知後に前記介護カプセル内に洗浄水を放出する洗浄水放出装置と、前記座部の底部に設けられた排水口によって前記介護カプセル内の排泄物と水分とを吸引する吸引装置と、前記介護カプセル内の水分を乾燥除去する乾燥装置とを備えたことを特徴とする排泄物処理用介護カプセル。
【請求項２】
前記本体と前記カバーとの境界の対向位置に設けられた開口部における一方の開口部は、寝た状態の要介護者の腰部を挿通する横長の形状を有し、他方の開口部は寝た状態の要介護者の両脚部を離間した状態に挿通する２個の穴部として形成されたことを特徴とする請求項１記載の排泄物処理用介護カプセル。
【請求項３】
前記座部の上部は内側に下り勾配を有する傾斜面を有すると共に、該傾斜面に空気の圧入によって膨張する複数のリング状バルーンが間隔をあけて設けられ、夫々のリング状バルーンの間には洗浄水を放出する洗浄水ノズルと温風を放出する温風ノズルが設けられ、前記複数のリング状バルーンが交互に膨張と収縮を繰り返す状態で夫々のノズルから洗浄水又は温風を当てるようにしたことを特徴とする請求項１又は２記載の排泄物処理用介護カプセル。
【請求項４】
前記洗浄水放出装置として、前記カバーの天井部と前記本体の底部にシャワーノズルが設けられたことを特徴とする請求項１、２又は３記載の排泄物処理用介護カプセル。
【請求項５】
前記乾燥装置として、前記カバーの天井部と前記本体の底部に温風ノズルが設けられたことを特徴とする請求項１、２、３又４記載の排泄物処理用介護カプセル。
【請求項６】
前記介護カプセルの空気の圧入、洗浄水の放出、排出物と水分を吸引する装置、これらを制御するコントローラ等を収納する収納箱の中に内部から発生する騒音をマイクで集音し、この音の波形を反転し、さらに増幅した音を前記収納箱から隔離されたスピーカから出すことによって前記収納箱の内部から漏れてくる騒音を打ち消す装置を備えたことを特徴とする請求項１、２、３、４又は５記載の排出物処理用介護カプセル。
【請求項７】
前記収納箱に設置されたコントローラの各種データ、温度、その他機器が動作しているデータを収集する機能と双方向性通信機能とを備えた装置を具備し、前記収納箱の外部の管理センターにデータを送信し、又は前記収納箱の外部から必要に応じて該収納箱の内部の機器を遠隔制御することを特徴とする請求項１、２、３、４又は５記載の排出物処理用介護カプセル。
【発明の詳細な説明】
【技術分野】
【０００１】
本発明は、寝たきりの老人や病人等、排泄に関して介護を必要とする人（以下、要介護者と云う）の排泄物を自動的且つ清潔に処理することができる排泄物処理用介護カプセルに関する。
【背景技術】
【０００２】
上記のような要介護者には、従来から、介護用オムツを装着させることによって、日常の排泄物を処理することが行われている。ところが、要介護者が使用する介護用オムツは、毎日の使用であるため、費用がかさみ、また排泄後の作業は、介護者にとって非常に労力を要するものである。また、排泄後において、要介護者は、介護オムツを交換するまで、不快で不衛生な状態を強いられるという不都合もあった。
【０００３】
そこで、従来から、上記の問題点を解消するために、洗浄機能を備えた排泄物処理装置が提案されている。その例として、特許文献１に記載された「患者用排泄物処理方法及びそれに用いる吸引型おしめカバー」について説明すると、寝たきりの患者に対して吸引型のおしめカバーを装着し、排泄センサで感知して患者の排泄物の吸引除去と温水による局部の洗浄と、温風による局部の乾燥とを行なう方法であって、おしめカバーの構造は、人の腰、臀部、肛門を覆うほぼパンツ形状にした適当な加圧と減圧に耐える材質からなる外カバーと、肌に密着する柔軟な内カバーと、その間のクッション材層とからなり、肛門付近には排泄センサと排泄物の吸引口と、その周囲の温水、温風吹出口及び内カバーとクッション材層との間へ送風する送風口を備えてなるものである。
【特許文献１】特開平５−１１５５１４号公報
【発明の開示】
【発明が解決しようとする課題】
【０００４】
上記の従来技術のように、介護用オムツに洗浄機能を備えたものは、その他にも種々の形態の介護用オムツとして開発されている。その開発内容は、排泄物の洗浄と、それに伴う吸引と乾燥とを効率的に行う機能を備えることによって、要介護者の日常の排泄に対処するようにしたものである。
【０００５】
ところが、従来の介護用オムツは、肌に直接密着するものであって、肌と接触する部分を多く有するため、要介護者の体圧における密着部分の洗浄を十分に行うことができないという不都合があった。また、要介護者が、例えば横向きに寝ているとき、或いは股を閉じた状態にあるときには、洗浄、吸引又は乾燥機能が十分に発揮されないという不都合が生じる。
【０００６】
本発明は上記の事情に鑑みて成されたもので、寝たきりの老人や病人等の要介護者の日常の排泄物を十分な洗浄能力で清潔に処理すると共に、その処理作業を自動的に行うことができる構成とすることによって介護者の労働を削減するようにした排泄物処理用介護カプセルを提供することを目的とする。
【課題を解決するための手段】
【０００７】
上記の目的を達成するために、本発明の請求項１の排泄物処理用介護カプセルは、上下半割り形状の下部を本体とし、上部をカバーとするカプセル型の構造を有し、前記本体の下側をベッドに設けられた凹所に収納した状態で使用する排泄物処理用介護カプセルであって、該介護カプセルは前記本体に対して前記カバーを開閉自在にすると共に、前記本体と前記カバーとの境界の対向位置に、寝た状態の要介護者の腰部又は脚部を挿通する開口部を備え、前記本体の内底部に設けられたセンサで排泄物の存在を感知することにより、前記本体の内周側が部分的に膨張及び収縮を繰り返す状態で要介護者の尻部を支持する座部を有してなり、前記センサによる排泄物の感知後に前記介護カプセル内に洗浄水を放出する洗浄水放出装置と、前記座部の底部に設けられた排水口によって前記介護カプセル内の排泄物と水分とを吸引する吸引装置と、前記介護カプセル内の水分を乾燥除去する乾燥装置とを備えたことを特徴とする。
【０００８】
また、本発明の請求項２は、請求項１において、前記本体と前記カバーとの境界の対向位置に設けられた開口部における一方の開口部は、寝た状態の要介護者の腰部を挿通する横長の形状を有し、他方の開口部は寝た状態の要介護者の両脚部を離間した状態に挿通する２個の穴部として形成されたことを特徴とする。
【０００９】
また、本発明の請求項３は、請求項１又は２において、前記座部の上部は内側に下り勾配を有する傾斜面を有すると共に、該傾斜面に空気の圧入によって膨張する複数のリング状バルーンが間隔をあけて設けられ、夫々のリング状バルーンの間には洗浄水を放出する洗浄水ノズルと温風を放出する温風ノズルが設けられ、前記複数のリング状バルーンが交互に膨張と収縮を繰り返す状態で夫々のノズルから洗浄水又は温風を当てるようにしたことを特徴とする。
【００１０】
また、本発明の請求項４は、請求項１、２又は３において、前記洗浄水放出装置として、前記カバーの天井部と前記本体の底部にシャワーノズルが設けられたことを特徴とする。
【００１１】
さらに、本発明の請求項５は、請求項１、２、３又は４において、前記乾燥装置として、前記カバーの天井部と前記本体の底部に温風ノズルが設けられたことを特徴とする。
【００１２】
また、本発明の請求項６は、請求項１、２、３、４又は５において、前記介護カプセルの空気の圧入、洗浄水の放出、排出物と水分を吸引する装置、これらを制御するコントローラ等を収納する収納箱の中に内部から発生する騒音をマイクで集音し、この音の波形を反転し、さらに増幅した音を前記収納箱から隔離されたスピーカから出すことによって前記収納箱の内部から漏れてくる騒音を打ち消す装置を備えたことを特徴とする。
【００１３】
さらに、本発明の請求項７は、請求項１、２、３、４、５又は６において、前記収納箱に設置されたコントローラの各種データ、温度、その他機器が動作しているデータを収集する機能と双方向性通信機能とを備えた装置を具備し、前記収納箱の外部の管理センターにデータを送信し、又は前記収納箱の外部から必要に応じて該収納箱の内部の機器を遠隔制御することを特徴とする。
【発明の効果】
【００１４】
以上のように、本発明の排泄物処理用介護カプセルは、内部に空間を有するカプセル型の構造からなり、要介護者はベッドに仰向けに寝た状態で、腰部周辺をカプセル内に収容した状態で使用する形態のものである。従って、従来のように、布製又は紙製オムツを使用するのとは異なり、要介護者は自分の腰部周辺を裸の状態にして露出するが、カプセルによって隠蔽することによって、外部には見えない状態で日常の排泄を行うこととなる。従って、まず、従来の布製或いは紙製のオムツが不要であり、オムツに要する費用を削減すると共に、使用済みオムツの廃棄物処理費用をも削減することが可能となる。
【００１５】
しかも、要介護者がカプセル内で排泄すると、その排泄物の存在をセンサで自動的に感知して、本体の内周側が部分的に膨張及び収縮を繰り返し、この状態で介護カプセル内に洗浄水を放出する。また、排水口から介護カプセル内の排泄物と水分とを吸引し、さらに介護カプセル内の水分を乾燥除去するものであり、排泄物の処理から要介護者の洗浄乾燥まで自動的に行うことができるため、要介護者は、迅速に排泄物が処理された清潔な状態に復帰でき、しかもオムツの交換や洗浄或いは拭き取り等の手間が全く不要となり、従来の要介護者に必要とされた介護者の労力が大幅に削減されると共に、要介護者の排泄物の処理に要していた費用も大幅に削減することが可能となる。
【００１６】
また、介護カプセル内の内周側を膨出する空気圧を作り出す圧気用コンプレッサー、洗浄水を送出する圧水用コンプレッサー、或いは乾燥のための温風圧コンプレッサーは、コントローラによって駆動されるが、動作時には必ず騒音を発生する。収納箱の内側には遮蔽音の対策のため防音マット等を貼り付けるが、完全な対策を採るには費用と効果の点から限界がある。騒音は使用者のみならず、深夜であれば、他人の睡眠を妨げる原因にもなる。この障害を解消するため、各装置を収納する収納箱の内部に騒音を集音するマイクを設け、集音された音の波形を１８０度反転する反転回路と、反転された信号を増幅して収納箱と隔離された箇所に設置されたスピカーから該音を出力することにより、収納箱の内部から出る原音と反転された音とで互いに打ち消しあって騒音を軽減することができる。
【発明を実施するための最良の形態】
【００１７】
以下、本発明の実施例について図面を参照しながら説明する。
【実施例１】
【００１８】
本発明による排泄物処理用介護カプセルは、図1に示すように、上下半割り形状の下部を本体２とし、上部をカバー３とするカプセル型の構造を有し、本体２の下側をベッドＢに設けられた凹所Ｂ’に収納した状態で使用する排泄物処理用介護カプセル１であって、該介護カプセル１は本体２に対してカバー３を開閉自在にすると共に、本体２とカバー３との境界の対向位置に、寝た状態の要介護者の腰部Ｈ及び脚部Ｌを挿通する開口部４を備え、本体２の内底部に設けられたセンサ５で排泄物の存在を感知することにより、本体２の内周側が部分的に膨張及び収縮を繰り返す状態で要介護者の尻部Ｄを支持する座部６を有してなり、センサ５による排泄物の感知後に介護カプセル１内に洗浄水を放出する洗浄水放出装置と、座部６の底部に設けられた排水口７によって介護カプセル１内の排泄物と水分とを吸引する吸引装置と、介護カプセル１内の水分を乾燥除去する乾燥装置とを備えた構成を有するものである。
【００１９】
以下、このような構成について詳細に述べる。なお、以下の説明において、図３（ａ）、(ｂ)は本発明による介護カプセル１の外観図であり、排水口、洗浄水放出装置、乾燥装置等に用いるノズルや配管等は図示せずに介護カプセル１の外観のみを示したものである。
【００２０】
介護カプセル１は、プラスチック等の硬質材料によって形成され、全体が球形を有し、上下半割り形状の下部を本体２とし、上部をカバー３とするカプセル型の構造、即ち内部に空間を有する殻形状とされ、カバー３の上部は平面形状３ａに形成されている。また、この介護カプセル１は、本体２に対してカバー３を開閉自在に構成している（図３（ａ）参照）。即ち、本体２とカバー３との境界の一所に設けたヒンジ２ａによって、カバー３を開閉自在にしている。なお、このカバー３に取手（不図示）等を設けることによって、カバー３の開閉操作を容易に行うことができる。
【００２１】
このような介護カプセル１は、本体２とカバー３との境界における対向位置（図２参照）に、寝た状態の要介護者の腰部Ｈ及び両方の脚部Ｌ、Ｌを挿通する開口部４、４を備えている。具体的には、図３（ａ）に示すように、一方の開口部４は、寝た状態の要介護者の腰部Ｈを挿通する横長の形状４ａを有するように形成されている。また、図３(ｂ)に示すように、他方の開口部４は、寝た状態の要介護者の両脚部Ｌ、Ｌを離間した状態に挿通する２個の穴部４ｂ、４ｂとして形成されている。
【００２２】
これらの開口部４ａ、４ｂは、図３（ａ）に示すように、カバー３を開けることによって開放された状態となり、起きたり寝たりという動作や、介護者による介護を自由に行うことが可能である。また、カバー３を閉じることによって、これらの開口部４ａ、４ｂは閉塞された状態となり、要介護者の腰部Ｈや脚部Ｌ、Ｌの動きを拘束することとなるが、要介護者の腰部Ｈや脚部Ｌ、Ｌとの間に余地を有することによって、要介護者をなるべく窮屈にしないようにしている。また、図１に示すように、夫々の開口部４ａ、４ｂの周囲に弾性を有する補助部材２５を設けることによって、夫々の開口部４ａ、４ｂの内周端部に当る要介護者の腰部Ｈや脚部Ｌ、Ｌを保護するようにしてもよい。
【００２３】
本発明においては、上記のように、脚側の開口部４として２個の穴部４ｂ、４ｂが形成された構成により、夫々に要介護者の夫々の脚部Ｌ、Ｌを挿通することによって、仰向けに寝た状態の要介護者は両脚を閉じることができない姿勢となる。これは、要介護者が両脚を閉じた状態の場合、排泄後の洗浄が不十分となるため、夫々の脚部Ｌ、Ｌを挿通する２個の穴部４ｂ、４ｂを離間した位置に形成して、要介護者の脚部Ｌ、Ｌが開いた状態を保つようにしたものである。
【００２４】
上記の構成によれば、本発明による介護カプセル１を使用する要介護者は、排泄後の洗浄処理を十分に行うため、ある程度規制された姿勢が要求されるが、なるべく自由に動けるように、例えば、介護カプセル１はベッドＢに対して可動する構成にしている。その構成として、図１、図３（ａ）、(ｂ)に示すように、ベッドＢの所定箇所に介護カプセル１の本体２の下側を収納する凹所Ｂ’を形成し、介護カプセル１が当接する箇所に潤滑材８としてシリコン等を介するほか、ベアリング等を介して介護カプセル１の本体２を支持する構成としてもよい。このような構成により、介護カプセル１はベッドＢの凹所Ｂ’に沿って回動自在となり、例えば要介護者が横向きの姿勢に動いたとき、又は前後の姿勢に動いたとき、その動きに追従して介護カプセル１もまた回動することが可能となる。
【００２５】
さらに、本発明においては、本体２の内底部に排泄物の存在を感知するセンサ５が設けられ、このセンサ５の感知によって、本体２の内周側が部分的に膨張及び収縮を繰り返す状態で要介護者の尻部Ｄを支持する座部６を有する構成としている。この座部６は本体２の内周側に塩化ビニル等を使用して空気を圧入することによってバルーン状に膨出する空気袋の形状に形成され、これに空気を圧入しない状態では収縮した状態にあるが、本体２の下部に設けられた空気供給口９を介して空気が圧入されることにより、図１に示すように内方へ膨出する。ただし、この座部６は中央に上方から底部に至る空所を有し、後述するように、介護カプセル１内に放出された洗浄水が底部に設けられた排水口７に流れるようにしている。
【００２６】
また、図１に示すように、座部６が膨出した状態において、要介護者の腰部Ｈや脚部Ｌの背面Ｅは、座部６の上部に設けられた内側に下り勾配を有する傾斜面に密着する。従って、この密着部においては洗浄水又は温風の通りが悪くなるが、これに対処するように、座部６の内側傾斜面に空気の圧入によって膨張する複数のリング状バルーン１３、１３…が間隔をあけて設けられている。
【００２７】
また、介護カプセルの動作や駆動の状態を検知するスイッチなどの動作を常に監視して安全を確保しなければならない。これらを具現するため、収納箱３３（図４参照）に装置内の動作データを収集する装置とそれらのデータを収納箱３３の外部に送出できる機能を持った双方向性通信制御装置を備え、収納箱３３の内部のデータのみならず保守維持管理のため、収納箱３３の外部より通信により制御することで、排泄物処理用介護カプセルを安全に管理することが可能である。
【００２８】
このリング状バルーン１３、１３…を上方から見た図２又は図１に示すように、本実施例においては、本体２の内部の最上に位置する最外周には大径のリング状バルーン１３とその下方内周に３本のリング状バルーン１３、１３…が同心円状に間隔をあけて配列された構成とされている。また、複数のリング状バルーン１３、１３…は交互に膨張と収縮を繰り返すように、各リング状バルーン１３、１３…に独立して空気を圧入する送給口１８、１８…（図１参照）が設けられ、後述する制御によって、各リング状バルーン１３、１３…の収縮を交互に行う構成としている。さらに、夫々のリング状バルーン１３、１３…の間には洗浄水を放出する洗浄水ノズル１４、１４…と温風を放出する温風ノズル１２、１２…が設けられている。なお、図１においては、図示の都合上、洗浄水ノズル１４、１４…と温風ノズル１２、１２…の配管１１は実線で概略的に示してあるが、実際には、本体２の底部から外方に導き出される構成となる。
【００２９】
これらの各リング状バルーン１３、１３…が交互に膨張と収縮を行う際に洗浄水ノズル１４、１４…からの洗浄水と温風ノズル１２、１２…からの温風を当てることにより、収縮したリング状バルーン１３においては、要介護者との背面Ｅに隙間をつくり、この隙間に洗浄水を放出することによって、要介護者の背面Ｅを洗浄し、同時に温風の流れによって肌等の乾燥が可能となる。一方、膨張した状態のリング状バルーン１３、１３…が要介護者の背面Ｅに圧接することによって、洗浄水ノズル１４、１４…から放出された洗浄水が外方へ漏れないように阻止することができる。
【００３０】
上記の構成において、洗浄、吸水、乾燥を行う各装置について述べると、図１に示すように、介護カプセル１の本体２の底部にはセンサ５が設けられ、このセンサ５で排泄物の存在を感知すると、センサ５に接続されたコントローラＣに信号が送られる。また、介護カプセル１のカバー３の天井部には洗浄水をシャワー状に噴射するシャワーノズル１７ａと乾燥空気を放出する温風ノズル２４ａが設けられ、これらと同様に、本体２の底部にもシャワーノズル１７ｂと温風ノズル２４ｂが設けられている。このうち、天井部と底部の温風ノズル２４ａ、２４ｂは配管１１を介して圧水用コンプレッサー１９に接続され、この圧水用コンプレッサー１９に接続されたコントローラＣによって制御される。
【００３１】
また、座部６の傾斜面１２に設けられたリング状バルーン１３、１３…に洗浄水を噴射する複数の洗浄水ノズル１４、１４…が設けられ、さらに各リング状バルーン１３、１３…に設けられた空気供給口１８は配管１１及び切換弁１５を介して圧気用コンプレッサー１６に接続され、切換弁１５をコントローラＣによって制御することにより、各リング状バルーン１３、１３…が交互に膨張と収縮を繰り返す。さらに、座部６を膨張するために設けられた空気供給口９、９もまた配管１１を介して上記の圧気用コンプレッサー１６に接続され、コントローラＣからの信号によって座部６をバルーン状に膨出させる。
【００３２】
また、シャワーノズル１７ａ、１７ｂと洗浄水ノズル１４、１４…は、上記のように圧水用コンプレッサー１９に接続され、この圧水用コンプレッサー１９に接続されたコントローラＣからの信号によって圧水用コンプレッサー１９が始動すると、圧水用コンプレッサー１９に接続された給水タンク２０の洗浄水をシャワーノズル１７ａ、１７ｂと洗浄水ノズル１４、１４…から放出することができる。なお、給水タンク２０には予め殺菌効果のある薬剤を混入させると共に、ヒータによって所定温度に保温した洗浄水が貯留されている。
【００３３】
さらに、本体２の底部に設けられた排水口７にはバキュームポンプ２１が接続され、該バキュームポンプ２１に接続されたコントローラＣの制御によって吸引を行い、吸引された排泄物や水分はバキュームポンプ２１に接続された汚水タンク２２に貯留される。
【００３４】
以上のような各装置の動作について図５のフローチャートを参照しながら説明すると、要介護者の股間又は腰部Ｈ周辺は裸の状態であって、図１に示すように寝た姿勢で介護カプセル１に収容された状態とされている。このような状態において、センサ５が排泄物を感知すると、その信号がコントローラＣに送られ、圧気用コンプレッサー１６が始動して、膨出状態で使用していた座部６のリング状バルーン１３、１３…を一旦収縮し、要介護者の尻部Ｄをカプセル内に沈ませ、次いで座部６のリング状バルーン１３、１３…が交互に膨出と伸縮の繰り返しを開始する。
【００３５】
次いで、圧水用コンプレッサー１９が始動すると、タイマースイッチがＯＮにされ、介護カプセル１内にて天井部のシャワーノズル１７ａと底部のシャワーノズル１７ｂから洗浄水が放出される。また、洗浄水ノズル１４、１４からも洗浄水が放出され、リング状バルーン１３、１３…と要介護者の背面Ｅとの間が洗浄される。このような洗浄は、タイマースイッチを所定時間にセットしておき、タイマースイッチのＯＦＦ信号によって、自動的に圧水用コンプレッサー１９が停止すると、天井部と底部のシャワーノズル１７ａ、１７ｂと洗浄水ノズル１４、１４…とが停止することとなる。
【００３６】
次いで、温風圧コンプレッサー２３が始動を開始すると、タイマースイッチがＯＮにされると共に、天井部と底部の温風ノズル２４ａ、２４ｂから乾燥空気が放出され、要介護者の肌に付着した水分や介護カプセル１内の乾燥を開始する。そして、所定時間経過した後にタイマースイッチがＯＦＦにされると、その信号によってコントローラＣが制御され温風圧コンプレッサー２３が停止し、次いで座部６の膨張とリング状バルーン１３、１３
…の膨張収縮が停止する。
【００３７】
一方、上記の圧気用コンプレッサー１６の始動開始の信号によってバキュームポンプ２１が始動を開始し、本体２の底部に流れ込んだ排泄物を排水口７から吸引して、汚水タンク２２に貯留する。このとき、固形の排泄物は上記のように放出された洗浄水によって液状化され、排水口７より吸引しやすい状態とされ、排水口７より吸引された排泄物等の汚水は汚水タンク２２に貯留される。
【００３８】
さらに、温風圧コンプレッサー２３の作動中においては、介護カプセル１内の湿気等をバキュームポンプ２１によって排水口７から吸引することも可能である。
【００３９】
また、図４に示す収納箱３３内にマイク２６が設けられ、マイク２６で集音された音は、位相反転回路２７を通り、波形の位相が１８０度反転される。その信号は音量調節ボリューム２８で調整された後、増幅器２９でスピーカー３０を駆動する信号に増幅される。その結果、収納箱３３から漏れてくる原音と１８０度位相反転された音とが互いに波形を打ち消しあい、外部の人には消音された状態になり環境改善になる。
【００４０】
さらに、コントローラＣから得られるデータや別途収納箱３３内に設置された電子式温度センサ等（不図示）のデータを収集し、外部と双方向性通信装置３１を介して外部にデータを送出することができる。データ送受信端子３２は、有線または無線ＬＡＮ端子であり、インターネットでデータを容易に収集できる。また、双方向性通信装置を介して外部より内部のコントローラＣを制御することができるため、保守作業を遠隔操作できるという利点を有する。
【産業上の利用可能性】
【００４１】
本発明の排泄物処理用介護カプセルは、寝たきりの老人や病人等の要介護者の日常の排泄物を十分な洗浄能力で清潔に処理すると共に、その処理作業を自動的に行うことができる構成とすることによって介護者の労働を削減するようにした排泄物処理用介護カプセル
として利用することが可能である。
【図面の簡単な説明】
【００４２】
【図１】本発明による排泄物処理用介護カプセルの内部構造を示す断面図に加えて周辺装置を概略的に示した図である。
【図２】本発明による排泄物処理用介護カプセルの内部を上方から見た図である。
【図３】（ａ）、(ｂ)は、本発明による排泄物処理用介護カプセルの外観図である。
【図４】本発明による排泄物処理用介護カプセルの内部構造を示す断面図に加えて周辺装置を収納した収納箱を概略的に示した図である。
【図５】本発明による排泄物処理用介護カプセルの動作を説明するためのフローチャートである。
【符号の説明】
【００４３】
１  介護カプセル
２  本体
２ａ  ヒンジ
３  カバー
３ａ  平面形状
４  開口部
４ａ  横長の形状
４ｂ  穴部
５  センサ
６  座部
７  排水口
８  潤滑材
９  空気供給口
１１  配管
１２  温風ノズル
１３  リング状バルーン
１４  洗浄水ノズル
１５  切換弁
１６  圧気用コンプレッサー
１７ａ、１７ｂ  シャワーノズル
１８  空気供給口
１９  圧水用コンプレッサー
２０  給水タンク
２１  バキュームポンプ
２２  汚水タンク
２３  温風圧コンプレッサー
２４ａ、２４ｂ  温風ノズル
２５  補助部材
２６  マイク
２７  位相反転回路
２８  音量調整ボリューム
２９  増幅器
３０  スピーカ
３１  データ収集兼双方向性通信装置
３２  データ送受信端子
３３  収納箱
Ｂ  ベッド
Ｂ’  凹所
Ｃ  コントローラ
Ｄ  尻部
Ｈ  腰部
Ｌ  脚部
Ｅ  背面
【図１】
2007330760.tif 000003
【図２】
2007330760.tif 000004
【図３】
2007330760.tif 000005
【図４】
2007330760.tif 000006
【図５】
2007330760.tif 000007